(57)【特許請求の範囲】
【請求項１】
車両の運転を許可する免許情報が記憶されるＩＣカードと、前記車両に搭載され、かつ前記ＩＣカードの情報の再生及び記録を行うＩＣカード端末装置とからなるＩＣカードシステムであって、
前記ＩＣカード端末装置は、前記車両の運行制御及び該車両の運行を管理するとともに該車両の走行情報が記憶される記憶部を有する車両制御部に接続され、
前記ＩＣカード端末装置は、利用者の車両キーのＯＦＦポジションからサブポジションへの回動操作に基づくバッテリーからの副電源の供給により起動されて、利用者により挿入されたＩＣカードの免許情報を読み取りメモリに記憶するとともに、利用者の車両キーの前記サブポジションからメインポジションへの回動操作に基づき前記車両のエンジンが始動され前記車両の走行が開始された後、利用者の車両キーのメインポジションからサブポジションへの回動操作に基づき前記エンジンが停止されると、挿入されたＩＣカードの免許情報を読み取って前記メモリの記憶情報と比較し、双方の情報が一致する場合は前記バッテリーからの主電源を前記車両制御部に供給して前記車両制御部の記憶部から前記走行情報を読み取り前記ＩＣカードに記録することを特徴とするＩＣカードシステム。
【請求項２】
請求項１において、
前記車両制御部には前記車両の運行を管理するための運行管理情報を記憶する運行管理情報エリアが設けられ、
前記ＩＣカード端末装置は、前記ＩＣカードの免許情報を読み取って前記車両制御部の運行管理情報エリアに記録することを特徴とするＩＣカードシステム。
【発明の詳細な説明】
【０００１】
【発明の属する技術分野】
本発明は、ＩＣカード化された運転免許証からデータを読み取って車両の運転を可能にするＩＣカードシステムに関する。
【０００２】
【従来の技術】
運転免許証を与えられた者が無事故，無違反を数年間継続すると、ゴールドカードと呼称される、長期間（５年間）免許の書き替えが不要な免許証が付与される。そして、このゴールドカードを所持する優良ドライバーが交通違反を行ったときには、その違反点数の取り消し期間が通常の運転免許証の場合より短縮される恩典が与えられる。
【０００３】
【発明が解決しようとする課題】
しかしながら、運転免許証は所持しているが実際に自動車を運転しなければ、当然のことながら無事故，無違反となり、このような車を全く運転しないいわゆるペーパードライバーに対しても上記のゴールドカードが付与されるという問題が生じている。
このため、或る程度、車を運転するドライバーに対し上記の恩典を付与することが検討されている。
したがって本発明は、実際に車を運転するドライバーに対し、長期間免許の書き替えが不要でかつ違反時に違反期間が短縮されるような恩典を与えることを目的とする。
【０００４】
【課題を解決するための手段】
このような課題を解決するために本発明は、車両の運転を許可する免許情報が記憶されるＩＣカードと、車両に搭載され、かつＩＣカードの情報の再生及び記録を行うＩＣカード端末装置とからなるＩＣカードシステムであって、ＩＣカード端末装置は、車両の運行制御及び車両の運行を管理するとともに車両の走行情報が記憶される記憶部を有する車両制御部に接続され、ＩＣカード端末装置は、利用者の車両キーのＯＦＦポジションからサブポジションへの回動操作に基づくバッテリーからの副電源の供給により起動されて、利用者により挿入されたＩＣカードの免許情報を読み取りメモリに記憶するとともに、利用者の車両キーのサブポジションからメインポジションへの回動操作に基づき車両のエンジンが始動され車両の走行が開始された後、利用者の車両キーのメインポジションからサブポジションへの回動操作に基づきエンジンが停止されると、挿入されたＩＣカードの免許情報を読み取ってメモリの記憶情報と比較し、双方の情報が一致する場合はバッテリーからの主電源を車両制御部に供給して車両制御部の記憶部から走行情報を読み取りＩＣカードに記録するようにしたものである。
また、車両制御部には車両の運行を管理するための運行管理情報を記憶する運行管理情報エリアが設けられ、ＩＣカード端末装置は、ＩＣカードの免許情報を読み取って車両制御部の運行管理情報エリアに記録するものである。
【０００５】
【発明の実施の形態】
以下、本発明について図面を参照して説明する。
図１は本発明に係るＩＣカードシステムの構成を示すブロック図である。同図において、このシステムは、ＩＣカード１と、車両に搭載されるとともにＩＣカード１に対しデータの記録及び再生を行うＩＣカード端末装置２と、車両内に配置され車両キーの回動位置に応じ、車両のエンジン始動や停止を行うキー制御部３と、車両内に配置され車両の運行制御等を行う車両制御部４とからなる。
【０００６】
ここで、ＩＣカード１は、運転免許情報を格納するメモリ１１を有し、メモリ１１には運転者の氏名，住所，生年月日などの個人ＩＤ情報、運転免許番号及び免許有効期間等が上記運転免許情報として格納されている。
また、ＩＣカード端末装置２には、ＣＰＵ２１と、表示部２２と、メモリ２３と、ＩＣカード１のメモリ１１の情報の読み出しや書き込みを行うリード／ライト部２４と、時計ＩＣ２５とが設けられている。さらに、車両制御部４には、車両の運行情報が格納される運行管理メモリ４１と、車両の走行情報を記憶保持するメータ機器４２とが設けられている。
【０００７】
ここで、利用者が車両キーを所定のキー挿入部に挿入しＯＦＦ位置（ＯＦＦポジション）からＳ位置（サブポジション）まで回すと、副電源スイッチＳＷ１の接点が閉結し、車両の図示しないバッテリーからの副電源がＩＣカード端末装置２に供給される。この副電源の供給によりＩＣカード端末装置２は起動され動作を開始する。また、この副電源の供給により車両の各電気系統が給電され、搭載されたラジオなどの電気機器が動作する。
【０００８】
ＩＣカード端末装置２は起動されると、ＩＣカード１の挿入を判断し、ＩＣカード１が挿入された場合は、ＩＣカード１のデータを読み取りメモリ２３に格納するとともに、主電源スイッチＳＷ２を駆動してバッテリーからの主電源を車両制御部４に与えて起動させ、車両制御部４の運行管理メモリ４１にそのカードデータを記憶する。その後、カードデータが適正データか否かを判断のうえ適正データの場合は、利用者の車両キーのＭ位置（メインポジション）までの回動操作によりエンジンが始動され、これにより利用者の運転による車両の走行が開始される。
【０００９】
こうして利用者の運転による車両の走行が行われる。その後、利用者が車両を停止し、車両キーをＭ位置からＳ位置まで回すと、エンジンが停止する。ここで、利用者がＩＣカード１をＩＣカード端末装置２のリード／ライト部２４に挿入すると、ＩＣカード端末装置２は、このカード１の情報を読み取る。そして読み取ったカード情報がメモリ２３に記憶されている情報と一致し発進時と同一のカードと認識すると、メータ機器４２から走行距離を読み出してＩＣカード１のメモリ１１に記録する。そしてその後、利用者が車両キーをＯＦＦ位置まで回すと、主電源の供給が停止し、かつＩＣカード端末装置２への副電源の供給が停止する。
このように、車両の走行終了後にＩＣカード１のメモリ１１に走行距離を記録するため、そのＩＣカード１の走行距離を読み出すことにより、実際に車を運転するドライバーに対してのみ、長期間免許の書き替えが不要でかつ違反時に違反期間が短縮されるようなゴールドカードを発行することが可能になる。
【００１０】
図２及び図３は、ＩＣカード端末装置２のＣＰＵ２１の動作を示すフローチャートである。これらのフローチャートに基づき本発明の要部動作をさらに具体的に説明する。
まず図２に示す発進時のフローチャートから説明する。
利用者が車両を発進させるために、車両キーをＯＦＦ位置からＳ位置まで回動すると、副電源スイッチＳＷ１の接点が閉結しステップＳ１でバッテリーから副電源がＩＣカード端末装置２に供給される。ＣＰＵ２１は電源供給され起動されると、リード／ライト部２４を介しＩＣカード１の挿入の有無をステップＳ２で判断する。
【００１１】
ここで、利用者によりＩＣカード１が挿入されステップＳ２の判定が「Ｙ」となると、ＣＰＵ２１はステップＳ３でリード/ライト部２４を介しそのＩＣカード１のメモリ１１のデータを読み取る。そして読み取ったデータをメモリ２３に記憶するとともに、主電源スイッチＳＷ２を駆動して主電源を車両制御部４に供給することにより車両制御部４を起動させ、読み取った上記のカードデータをステップＳ４で車両制御部４の運行管理メモリ４１に記録する。
【００１２】
その後、ＣＰＵ２１はステップＳ５でそのＩＣカード１のカードデータが適正データか否かを判断する。すなわち、ＩＣカード１のデータが運転免許カードを示すデータであるか否かを判断するとともに、その運転免許の期間が有効期間内にあるか否かを時計ＩＣ２５からの情報（年月日）に基づき判断する。さらに、ＣＰＵ２１は主電源を車両制御部４に供給してその運行管理メモリ４１の所定エリアから読み出した車両の所有者のＩＤがＩＣカード１の氏名，住所，生年月日などのＩＤデータと一致するか否かを判断する。ここで、適正データと判定されない場合はステップＳ６で表示部２２にエラーメッセージを表示する。
【００１３】
一方、ＩＣカード１のデータが適正データの場合は利用者による車両キーの回動操作を許容し、このとき車両キーがＳ位置からＭ位置まで回動操作されると、車両制御部４に主電源が供給され、エンジンが始動されるとともに、ステップＳ７の「キー操作あり？」の「Ｙ」及びステップＳ８の「キー位置はメインポジション？」の「Ｙ」を経て、ステップＳ９で主電源スイッチＳＷ２の接点閉結により主電源が車両制御部４に供給され、車両の走行モードになる。利用者は走行モードになると車両を発進し走行を開始する。
なお、利用者が車両キーをＳ位置からＯＦＦ位置へ回すと、ステップＳ８の判定は「Ｎ」となる。この場合、ステップＳ１０で副電源スイッチＳＷ１の接点が開放されることより、ＩＣカード端末装置２には電源が供給されなくなり、ＣＰＵ２１は処理を終了する。
【００１４】
走行モードになり利用者が車両を発進して走行した後、利用者による車両の走行が終了し、図３のステップＳ２１で車両キーがＭ位置からＳ位置まで回動されると、エンジンが停止するとともに主電源スイッチＳＷ２の接点が開放されるため、ステップＳ２２で車両制御部４への主電源の供給は停止される。ここで、利用者がＩＣカード１を挿入すると、ＣＰＵ２１はリード／ライト部２４を介し、ＩＣカード１の挿入を検知してステップＳ２３の「カードあり？」を「Ｙ」と判定する。この場合、ＣＰＵ２１はＩＣカード１のメモリ１１からデータを読み取り、この読み取ったデータとメモリ２３に記憶してあるカードデータとの一致を判断することで、ステップＳ２４で発進時と同一カードが挿入されたか否かを判断する。
【００１５】
ここで、双方のデータが一致し発進時と同一カードであると判断すると、ＣＰＵ２１は主電源スイッチＳＷ２を駆動して主電源を車両制御部４に供給するとともに、ステップＳ２５で車両制御部４内のメータ機器４２から走行距離を読み出す。そして、リード／ライト部２４を制御し、読み出した走行距離を時計ＩＣ２５の情報（年月日）とともにしてＩＣカード１のメモリ１１に記録させる。
その後、利用者が車両キーを抜くために車両キーをＯＦＦ位置まで回すと、ステップＳ２６の「キー操作あり？」の「Ｙ」及びステップＳ２７の「キー位置はＯＦＦポジション？」の「Ｙ」を経て、ステップＳ２８で副電源スイッチＳＷ２の開放により副電源のＩＣカード端末装置２への供給が停止され、ＣＰＵ２１は処理を終了する。
なお、このとき利用者が車両キーをＳ位置からＭ位置へ回すと、ステップＳ２７の判定は「Ｎ」となる。この場合、エンジンは再始動し、ステップＳ２９で主電源スイッチＳＷ２の接点閉結により車両制御部４に主電源が供給されて再度走行モードになる。
【００１６】
このようにしてＩＣカード１に車両の走行距離を記録することにより、免許更新時にそのＩＣカード１の走行距離を読み出すようにすれば、実際に車を運転するドライバーに対してのみゴールドカードを与えることが可能になる。
また、ＩＣカード１のカードデータを車両の運行管理メモリ４１に記憶するため、盗難に遭った車両が発見された場合、運行管理メモリ４１のデータを読み出すようにすれば容易にその車両の持ち主を特定できる。
なお、本実施の形態では、ＩＣカード端末装置２を車両制御部４と独立に設けているが、車両制御部４内に配設するようにしても良い。また、ＩＣカード１はリーダ／ライタ部２４と接触する接触型でも良く、さらにリーダ／ライタ部２４と接触しない非接触型でも良い。
【００１７】
【発明の効果】
以上説明したように本発明によれば、車両の運転を許可する免許情報が記憶されるＩＣカードと、ＩＣカードの情報の再生及び記録を行うＩＣカード端末装置とを設け、ＩＣカード端末装置を、車両の運行制御及び車両の運行を管理するとともに車両の走行情報が記憶される記憶部を有する車両制御部に接続し、ＩＣカード端末装置は車両制御部の走行情報を読み取りＩＣカードに記録するようにしたので、免許更新時にＩＣカードの走行距離を読み出すようにすれば、実際に車を運転するドライバーに対してのみゴールドカードを与えることが可能になる。また、車両制御部に、車両の運行を管理するための運行管理情報を記憶する運行管理情報エリアを設け、ＩＣカード端末装置はＩＣカードの免許情報を読み取って運行管理情報エリアに記録するようにしたので、盗難に遭った車両が発見された場合、ＩＣカード端末装置の運行管理情報のデータを読み出すようにすれば容易にその車両の持ち主を特定できる。
【図面の簡単な説明】
【図１】本発明に係るＩＣカードシステムの要部構成を示すブロック図である。
【図２】車両の発進時における上記システムの動作を示すフローチャートである。
【図３】車両の走行終了時における上記システムの動作を示すフローチャートである。
【符号の説明】
１…ＩＣカード、２…ＩＣカード端末装置、３…キー制御部、４…車両制御部、１１，２３…メモリ、２１…ＣＰＵ、２２…表示部、２４…リード／ライト部、４１…運行管理メモリ、４２…メータ機器、ＳＷ１…副電源スイッチ、ＳＷ２…主電源スイッチ。
【図１】
0003539171.tif 000002
【図２】
0003539171.tif 000003
【図３】
0003539171.tif 000004